(57)【特許請求の範囲】
【請求項１】
サイズの異なる複数の画像が記録された写真フィルムの幅方向に沿って主走査を行うと共に該写真フィルムの長さ方向に沿って副走査を行い、一定速度で副走査されている状態で読み取られたプレスキャン画像データに基づいてファインスキャンを行う画像読取装置であって、
前記プレスキャン画像データに基づいて同一サイズ画像のコマ数及びコマ位置を求め、求めたコマ数及びコマ位置に基づいて前記ファインスキャンの目標副走査時間に応じた副走査パターンを設定するパターン設定手段と、
前記パターン設定手段によって設定された副走査パターンに従ってファインスキャンを行うファインスキャン制御手段と、
を有する画像読取装置。
【請求項２】
前記パターン設定手段は、同一サイズ画像のコマを全て読み取った後に異なるサイズの画像を読み取る副走査パターンと、サイズが異なる画像を混在させて読み取る副走査パターンのそれぞれに対する副走査時間を演算によって求め、前記副走査時間が目標副走査時間である最短副走査時間となる副走査パターンをファインスキャンの副走査パターンとして設定することを特徴とする請求項１記載の画像読取装置。
【請求項３】
前記パターン設定手段は、同一サイズ画像のコマを全て読み取った後に異なるサイズの画像を読み取る副走査パターンと、サイズが異なる画像を混在させて読み取る副走査パターンとのいずれかの副走査パターンを選択してファインスキャンの副走査パターンとして設定することを特徴とする請求項１記載の画像読取装置。
【発明の詳細な説明】
【０００１】
【発明の属する技術分野】
本発明は、画像読取装置に係り、特にサイズの異なる複数の画像が記録された写真フィルムの幅方向に沿って主走査を行うと共に該写真フィルムの長さ方向に沿って副走査を行い、一定速度で副走査されている状態で読み取られたプレスキャン画像データに基づいてファインスキャンを行う画像読取装置に関する。
【０００２】
【従来の技術】
写真フィルムには、サイズの異なる画像が混在して記録されることがある。写真フィルムに記録される画像の種類としては、例えば画像のアスペクト比（写真フィルムの幅方向と長さ方向の比）が３対４のフルサイズ画像やフルサイズ画像より幅が狭くなるように撮影されたパノラマ画像等がある。パノラマ画像はフルサイズ画像と比較してプリントサイズが大きいため、高解像度で読み取る必要がある。このため、パノラマ画像を読み取る場合にはフルサイズ画像を読み取る場合よりも副走査速度が遅くなるように制御して高解像度で読み取るようにしている。すなわち、１本の写真フィルムに対する画像読取中に画像のサイズに応じて副走査速度を切り替えて読み取っている。
【０００３】
【発明が解決しようとする課題】
しかしながら、写真フィルムに記録された画像間で写真フィルムの副走査速度を切り替えると、搬送ジッターが大きくなり、画像読み取りの副走査速度にむらが生じるため、読み取った画像データを用いて印画紙にプリントしたときの画質が低下する。
【０００４】
これに対して、上記画質の低下を防止するために、写真フィルムに記録された画像の全てをパノラマ画像に対応する副走査速度（フルサイズ画像よりも遅い副走査速度）で画像の読み取りを行うことが考えられるが、画像読み取りに時間がかかるため、作業効率の向上を図ることができない、という問題がある。
【０００５】
本発明は上記問題点を解消するためになされたもので、写真フィルムに記録されたサイズの異なる複数の画像を効率良く読み取ることができる画像読取装置を提供することを目的としている。
【０００６】
【課題を解決するための手段】
上記目的を達成するために請求項１に記載の発明は、サイズの異なる複数の画像が記録された写真フィルムの幅方向に沿って主走査を行うと共に該写真フィルムの長さ方向に沿って副走査を行い、一定速度で副走査されている状態で読み取られたプレスキャン画像データに基づいてファインスキャンを行う画像読取装置であって、前記プレスキャン画像データに基づいて同一サイズ画像のコマ数及びコマ位置を求め、求めたコマ数及びコマ位置に基づいて前記ファインスキャンの目標副走査時間に応じた副走査パターンを設定するパターン設定手段と、
前記パターン設定手段によって設定された副走査パターンに従ってファインスキャンを行うファインスキャン制御手段と、を有している。
【０００７】
請求項１に記載の発明の画像読取装置は、サイズの異なる複数の画像が記録された写真フィルムの幅方向に沿って主走査を行うと共に、写真フィルムの長さ方向に沿って一定速度で副走査することによってプレスキャンを行い、プレスキャン画像データに基づいてファインスキャンを行う。なお、ファインスキャンの副走査速度はプレスキャンの副走査速度よりも遅い速度とされている。パターン設定手段は、プレスキャン画像データに基づいて同一サイズ画像のコマ数及びコマ位置を求め、求めたコマ数及びコマ位置に基づいてファインスキャンの目標副走査時間に応じた副走査パターンを設定する。設定する副走査パターンでは、高解像度で読み取る必要のあるコマの箇所のみ副走査速度が遅くなるようにする。なお、目標副走査時間としては、写真フィルムに記録された全画像の読み取りに要する時間が最短となる時間や副走査速度の切り替えが最小回数となる時間を用いることができる。
【０００８】
パターン設定手段は、請求項２に記載の発明のように、同一サイズ画像のコマを全て読み取った後に異なるサイズの画像を読み取る副走査パターンと、サイズが異なる画像を混在させて読み取る副走査パターンのそれぞれに対する副走査時間を演算によって求め、副走査時間が最短副走査時間となる副走査パターンをファインスキャンの副走査パターンとして設定することができる。
【０００９】
また、請求項３に記載の発明のように、同一サイズ画像のコマを全て読み取った後に異なるサイズの画像を読み取る副走査パターンと、サイズが異なる画像を混在させて読み取る副走査パターンとのいずれかの副走査パターンをファインスキャンの副走査パターンとして設定するようにしてもよい。
【００１０】
ファインスキャン制御手段は、パターン設定手段によって設定された副走査パターンに従って副走査し、ファインスキャンを行う。
【００１１】
このように、プレスキャン画像データに基づいて目標副走査時間に応じた副走査パターンを設定して読み取るので、写真フィルムに記録された画像を目標副走査時間で読み取ることができる。
【００１２】
【発明の実施の形態】
以下、図面を参照して本発明の実施の形態について詳細に説明する。なお、以下では、まず本実施の形態に係る画像読取装置２４を含んで構成されたディジタルラボシステム１０について説明する。
【００１３】
図１には本実施の形態に係るディジタルラボシステム１０の概略構成が示されており、図２にはディジタルラボシステム１０の外観が示されている。このディジタルラボシステム１０は、ラインＣＣＤスキャナ１２、画像処理部１６、レーザプリンタ部１８及びプロセッサ部２０を含んで構成されている。また、図２に示されるようにラインＣＣＤスキャナ１２及び画像処理部１６は入力部１１に設けられており、レーザプリンタ部１８及びプロセッサ部２０は出力部１３に設けられている。
【００１４】
ラインＣＣＤスキャナ１２は、ネガフィルムやリバーサルフィルム等の写真フィルム２２（図３及び図４参照）に記録されているフィルム画像を読み取るためのものである。ラインＣＣＤスキャナ１２には、Ｒ、Ｇ、Ｂ測光用のセンサが３列配列されて構成されたラインＣＣＤ５０（図３参照）が備えられ、このラインＣＣＤ５０によってフィルム画像を読み取り、Ｒ、Ｇ、Ｂ３色の画像データを出力する。
【００１５】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えば、メモリカード等の記憶媒体に出力したり、通信回線を介して他の情報処理機器へ送信する等）ことも可能である。
【００１６】
レーザプリンタ部１８はＲ、Ｇ、Ｂのレーザ光を照射するレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００１７】
ディジタルラボシステム１０には、前述したラインＣＣＤスキャナ１２を含んで構成され、写真フィルム２２に記録されたフィルム画像の走査読み取りを行う画像読取装置２４が備えられている。図３には、画像読取装置２４が示されている。本実施の形態に係る画像読取装置２４は、写真フィルム２２を長さ方向に往復搬送し、ラインＣＣＤスキャナ１２によって往路でフィルム画像に対してプレスキャンを行った後に、復路でファインスキャンを行う。なお、ファインスキャンの副走査速度はプレスキャンの副走査速度よりも遅い速度とされている。
【００１８】
図３に示されるように、画像読取装置２４の写真フィルム２２のフィルム搬送路には、挿入検出センサ３０、搬送ローラ対３４、読取用磁気ヘッド３６、画面検出センサ４０、ラインＣＣＤスキャナ１２、及び搬送ローラ対６０が順次配設されている。
【００１９】
挿入検出センサ３０は、発光素子３０Ａと受光素子３０Ｂとをフィルム搬送路を挟んで対向するように配設して構成されている。挿入検出センサ３０の受光素子３０Ｂは、制御回路３２に接続されている。従って、制御回路３２は、受光素子３０Ｂから出力される信号のレベルの変化に基づいて、画像読取装置２４のフィルム搬送路に写真フィルム２２が挿入されたか否かを判断することができる。
【００２０】
搬送ローラ対３４は、駆動ローラ３４Ａと従動ローラ３４Ｂとを含んで構成されており、駆動ローラ３４Ａにはパルスモータ８２が連結されている。このパルスモータ８２は、ドライバ８４を介して制御回路３２に接続されている。従って、制御回路３２がドライバ８４を介してパルスモータ８２を駆動させ、駆動ローラ３４Ａを回転させると、この駆動ローラ３４Ａの回転に従動して従動ローラ３４Ｂが回転する。こうして搬送ローラ対３４が回転することにより、写真フィルム２２が図３に示される矢印Ａ方向（往路方向）及びこの矢印Ａ方向と反対方向（復路方向）に挟持搬送される。
【００２１】
なお、搬送ローラ対６０についても前述した搬送ローラ対３４と同様に構成され、図示しないドライバを介してパルスモータを駆動させることにより駆動ローラ及び従動ローラとを含んで構成された搬送ローラ対６０が回転して写真フィルム２２が図３に示される矢印Ａ方向及び矢印Ａ方向と反対方向に挟持搬送される。
【００２２】
また、画像読取装置２４には、裏面に透明な磁性材料が塗布された磁気層が形成された写真フィルム（所謂ＡＰＳフィルム）が挿入される場合がある。この磁気層には、コマ番号、フィルム種等の情報が磁気記録されている。読取用磁気ヘッド３６は、写真フィルムに形成された磁気層に磁気記録された情報を読取可能な位置に配置され、磁気層に磁気記録された情報を読み取って制御回路３２に出力するように接続されている。
【００２３】
画面検出センサ４０は、前述した挿入検出センサ３０と同様に発光素子と受光素子の対で構成されている。この画面検出センサ４０は、写真フィルム２２の幅方向中央部に対応する位置に配設されている。画面検出センサ４０の受光素子は制御回路３２に接続され、透過光量の大きさに応じたレベルの信号を制御回路３２に出力する。なお、写真フィルム２２の非画像部分は、画像部分と比較して透過光量が大きい。制御回路３２は画面検出センサ４０の受光素子から出力される信号のレベルを監視し、レベルが低下したときに写真フィルム２２に記録された画像の先端側エッジが画面検出センサ４０に対応したと判断する。
【００２４】
ラインＣＣＤスキャナ１２の光学系は、図４に示されるように、ハロゲンランプやメタルハライドランプ等からなり、写真フィルム２２に光を照射する光源４２を備えていると共に、光源４２の光射出側には写真フィルム２２に照射する光を拡散光とする光拡散ボックス４４が配設されている。光源４２は、ドライバ４６を介して制御回路３２に接続されている。制御回路３２では、光源４２から射出される光の光量が予め定められた所定値となるようにドライバ４６から光源４２に供給される電圧の大きさを制御する。また、光源４２と光拡散ボックス４４との間には、Ｃ（シアン）、Ｍ（マゼンダ）、Ｙ（イエロー）からなる調光フィルタ７０が射出光の光軸Ｌに沿って設けられている。調光フィルタ７０のフィルタ７０Ｃ、７０Ｍ、７０Ｙは、制御回路３２からの駆動信号によってそれぞれ独立に移動可能に構成されており、光源４２から射出される各成分色光の光量のバランスやラインＣＣＤ５０の各成分色光に対する感度等を考慮して光路中への挿入量を調整することができる。これにより、ラインＣＣＤ７４におけるＲ、Ｇ、Ｂの３色の受光量を調整する。
【００２５】
写真フィルム２２を挟んで光源４２と反対側には、光軸Ｌに沿って、フィルム画像を透過した光を結像させるレンズユニット４８、ラインＣＣＤ５０が順に配設されている。図４では、レンズユニット４８として単一のレンズのみを示しているが、このレンズユニット４８は、複数枚のレンズから構成されたズームレンズであってもよい。ラインＣＣＤ５０は、ＣＣＤセルが写真フィルム２２の搬送方向と直交するようにライン状に配列されてなるＣＣＤセル列が３ライン設けられ、各ラインの光入射側にＲ、Ｇ、Ｂの色分解フィルタのいずれかが各々取り付けられた３ラインカラーＣＣＤであり、受光面がレンズユニット４８の結像点位置に一致するように配設されている。従って、ＣＣＤセルの配列方向にフィルム画像読み取りの主走査がなされ、写真フィルム２２が搬送されることにより、フィルム画像読み取りの副走査がなされる。なお、ラインＣＣＤ５０は３本のライン（ＣＣＤセル列）が写真フィルム２２の搬送方向に沿って所定の間隔を隔てて順に配置されているので、同一の画素におけるＲ、Ｇ、Ｂの各成分色の検出タイミングには時間差がある。この時間差は、ラインメモリに画素データを蓄積し、時間差を考慮してラインメモリ出力を遅延させることにより補正する。
【００２６】
ラインＣＣＤ５０の出力端には増幅器（ＡＭＰ）５２の入力端が接続され、増幅器５２の出力端はアナログデジタル変換器（以下、Ａ／Ｄ変換器という）５４の入力端に接続されている。ラインＣＣＤ５０から出力された信号は増幅器５２で増幅され、Ａ／Ｄ変換器５４によってデジタルデータに変換される。Ａ／Ｄ変換器５４の出力端は制御回路３２に接続されており、Ａ／Ｄ変換器５４で変換されたデジタルデータはフィルム画像の測光値に対応するスキャン画像データとして制御回路３２に入力される。制御回路３２には、図示しないＣＰＵ、ＲＯＭ、ＲＡＭで構成されたマイクロコンピュータ５６が備えられており、スキャン画像データ（プレスキャン画像データ及びファインスキャン画像データ）はマイクロコンピュータ５６のＲＡＭに記憶される。
【００２７】
マイクロコンピュータ５６は、ＲＡＭにプレスキャン画像データが記憶されると、プレスキャン画像データに基づいてファインスキャンにおけるフィルム画像読み取りの副走査パターンを設定する。一方、ファインスキャンによって得られたファインスキャン画像データが記憶されると、ファインスキャン画像データに基づいて印画紙へのＲ、Ｇ、Ｂ３色の露光量を算出する。
【００２８】
また、制御回路３２にはディスプレイ５８が接続されている。従って、ファインスキャン画像データが制御回路３２に入力された場合には、ファインスキャン画像データを用いて処理を行い、ポジ画像をディスプレイ５８に表示することができる。
【００２９】
次に、本発明の実施の形態の作用をパノラマ画像がフルサイズ画像の間に連続して記録された写真フィルム２２の読み取りを行う場合を例にとり、図５乃至図７に示されるフローチャートを参照して説明する。なお、図８及び図９では、１コマのパノラマ画像のみを示している。
【００３０】
まず、図５及び図６を参照してプレスキャンにおけるフィルム画像の読取処理について説明する。
【００３１】
画像読取装置２４において、画面検出センサ４０で写真フィルム２２に記録されたフィルム画像の先端側エッジが検出されると、プレスキャンが開始される。このとき、写真フィルム２２は一定速度で搬送され、フィルム画像は写真フィルム２２の幅方向に沿った画素列毎にラインＣＣＤ５０によって読み取られる。
【００３２】
ステップ１００では、ラインＣＣＤスキャナ１２の画像読取位置にフィルム画像が到達したか否か、より詳しくは画像読取位置にフィルム画像の先端側エッジが到達したか否かを判定する。これは、ラインＣＣＤ５０から制御回路３２に出力された信号に基づいて判定することができ、制御回路３２に出力された信号のレベルが所定レベルよりも低下したときにフィルム画像の先端側エッジがラインＣＣＤスキャナ１２の画像読取位置に到達したと判断する。
【００３３】
このステップ１００でラインＣＣＤスキャナ１２の画像読取位置にフィルム画像が到達したと判定された場合には、次のステップ１０２においてプレスキャン画像データを制御回路３２内に備えられたマイクロコンピュタ５６のＲＡＭに記憶する。次のステップ１０４では、写真フィルム２２に記録された全てのフィルム画像に対するプレスキャンが終了したか否かを判定する。プレスキャンの終了は、挿入検出センサ３０で写真フィルム２２の後端を検出した後、所定時間（最終コマのプレスキャンが終了するまでの時間）が経過したか否かを判断し、経過した場合に写真フィルム２２に記録された全フィルム画像に対するプレスキャンが終了したと判定する。このステップ１０４において写真フィルム２２に記録された全てのフィルム画像に対するプレスキャンが終了していると判定された場合には、ステップ１０５で搬送を停止した後、ステップ１０６に移行し、終了していないと判定された場合にはステップ１０２に移行して前述した処理、すなわち写真フィルム２２に記録されたフィルム画像に対するプレスキャンを繰り返し実行する。
【００３４】
次のステップ１０６では、マイクロコンピュータ５６のＲＡＭに記憶されたプレスキャン画像データに基づいて、ファインスキャンにおけるフィルム画像読み取りの副走査パターンを設定する（詳細後述）。すなわち、プレスキャン画像データから写真フィルム２２に記録されたパノラマ画像のコマ数とコマ位置とを求めて副走査パターンを設定する。
【００３５】
続いて、図６を参照して図５のステップ１０６の処理の詳細を説明する。
まず、ステップ２００では以下に示す式（１）に基づいて副走査パターンＡによる副走査時間Ｈｐ１を演算する。副走査パターンＡは、プレスキャンにおける写真フィルム２２の搬送方向と反対方向に写真フィルム２２を搬送し、写真フィルム２２に記録されたフルサイズ画像とパノラマ画像を混在させて写真フィルム２２の一端から順に読み取るパターンである。
【００３６】
【数１】
0003621564.tif 000002
【００３７】
Ｎｐ：写真フィルム２２に記録されているパノラマ画像のコマ数
Ｎｆ１：パノラマ画像を境界として写真フィルム２２の後端側に記録されたフルサイズ画像のコマ数
Ｎｆ２：パノラマ画像を境界として写真フィルム２２の先端側に記録されたフルサイズ画像のコマ数
Ｌ  ：パノラマ画像及びフルサイズ画像の写真フィルム２２の長さ方向の寸法とコマ間隔との和
Ｖｐ：パノラマ画像の搬送速度（副走査速度）
Ｖｆ：フルサイズ画像の搬送速度（副走査速度）（但し、Ｖｐ＜Ｖｆ）
Ｃｐ：パノラマ画像読み取り前後の加速（減速）時間
Ｃｆ：フルサイズ画像読み取り前後の加速（減速）時間
【００３８】
次のステップ２０２では、以下に示す式（２）によって副走査パターンＢによる副走査時間Ｈｐ２を演算する。副走査パターンＢは、ファインスキャン時に写真フィルム２２を往復搬送させ、往路でフルサイズ画像を読み取り、復路でパノラマ画像を読み取るパターンである。
【００３９】
【数２】
0003621564.tif 000003
【００４０】
ステップ２０４では、前述したステップ２００の式（１）によって演算された副走査時間Ｈｐ１とステップ２０２で演算された副走査時間Ｈｐ２とを比較する。このステップ２０４において副走査時間Ｈｐ１が副走査時間Ｈｐ２よりも短い時間であると判定された場合には、ステップ２０６に移行してファインスキャンにおけるフィルム画像読み取りの副走査パターンを副走査パターンＡに設定する。すなわち、フルサイズ画像とパノラマ画像を混在させて写真フィルム２２の一端から順にフィルム画像の読み取りを行う。
【００４１】
一方、ステップ２０４において副走査時間Ｈｐ２が副走査時間Ｈｐ１よりも短い時間であると判定された場合には、ステップ２０８に移行してファインスキャンの副走査パターンを副走査パターンＢに設定する。すなわち、写真フィルム２２を往復搬送させ、往路でフルサイズ画像を読み取り、復路でパノラマ画像を読み取る。
【００４２】
次に、図７を参照してファインスキャンについて説明する。ファインスキャンは、写真フィルム２２に記録された全フィルム画像に対するプレスキャンが終了し、副走査パターンが設定されると開始される。
【００４３】
ステップ３００では、プレスキャン画像データに基づいて設定された画像読み取りの副走査パターンを取り込む。次のステップ３０２では、取り込んだ副走査パターンに基づいて写真フィルム２２を搬送し、フィルム画像を読み取る。
【００４４】
ここで、副走査パターンＡ及び副走査パターンＢについて説明する。
副走査パターンＡは、図８に示されるように、まず写真フィルム２２をプレスキャンで停止された位置から所定方向（図８に示される矢印Ｂ方向であり、プレスキャンにおける写真フィルム２２の搬送方向と反対方向）に加速度Ｖｆ／ＣｆでＣｆ時間搬送する。写真フィルム２２をＣｆ時間搬送することにより、搬送速度がＶｆに到達する。搬送速度Ｖｆで写真フィルム２２を搬送してラインＣＣＤ５０で読み取ることにより、パノラマ画像を境界として写真フィルム２２の後端側に記録されたＮｆ１コマのフルサイズ画像に対して、予め定められた主走査速度でかつ一定の副走査速度Ｖｆでファインスキャンが行われる。なお、Ｎｆ１コマのフルサイズ画像の搬送に要する時間は、Ｎｆ１×Ｌ／Ｖｆである。その後、減速度Ｖｆ／ＣｆでＣｆ時間搬送し、ラインＣＣＤ５０がパノラマ画像の中心真上に位置する状態で写真フィルム２２の搬送を一旦停止させる。
【００４５】
次に、写真フィルム２２を矢印Ｂ方向と反対方向、すなわちプレスキャンにおける写真フィルム２２の搬送方向と同方向に加速度Ｖｆ／ＣｆでＣｆ時間搬送した後、減速度Ｖｆ／ＣｆでＣｆ時間搬送する。すなわち、写真フィルム２２を２Ｃｆ時間搬送して停止させる。
【００４６】
続いて、写真フィルム２２を再度所定方向（矢印Ｂ方向）に加速度Ｖｐ／ＣｐでＣｐ時間搬送する。これにより、写真フィルム２２の搬送速度がＶｐになり、パノラマ画像が予め定められた主走査速度でかつ一定の副走査速度Ｖｐでファインスキャンが行われる。このときの搬送時間は、Ｎｐ×Ｌ／Ｖｐである。なお、図８に示される写真フィルム２２はパノラマ画像が１コマのみ記録されているので、Ｎｐは「１」となる。さらに、減速度Ｖｐ／ＣｐでＣｐ時間搬送して写真フィルム２２の搬送を停止させた後、再び写真フィルム２２を矢印Ｂ方向と反対方向に上記と同様に加減速を行って２Ｃｆ時間搬送する。
【００４７】
次に、写真フィルム２２を再度所定方向（矢印Ｂ方向）に加速度Ｖｆ／ＣｆでＣｆ時間搬送する。このように写真フィルム２２をＣｆ時間搬送することにより、写真フィルム２２の搬送速度がＶｆに到達する。続いて、写真フィルム２２の最先端に記録されたフルサイズ画像の先端側エッジがラインＣＣＤスキャナ１２の画像読取位置に到達した後、コマ間の距離の半分に相当する距離だけ搬送されるまで写真フィルム２２を副走査速度Ｖｆでファインスキャンする。これにより、パノラマ画像を境界として写真フィルム２２の先端側に記録されたＮｆ２コマのフルサイズ画像に対して、予め定められた主走査速度でかつ一定の副走査速度Ｖｆでファインスキャンが行われる。なお、Ｎｆ２コマのフルサイズ画像の搬送に要する時間は、Ｎｆ２×Ｌ／Ｖｆである。さらに、減速度Ｖｆ／ＣｆでＣｆ時間搬送して写真フィルム２２の搬送を停止させた後、写真フィルム２２を画像読取装置２４から排出してファインスキャンを終了する。
【００４８】
一方、副走査パターンＢは、図９に示されるように、まず写真フィルム２２を所定方向（図９に示される矢印Ｂ方向）に加速度Ｖｆ／ＣｆでＣｆ時間搬送する。これにより、写真フィルム２２の搬送速度がＶｆに到達する。続いて、写真フィルム２２の最先端に記録されたフルサイズ画像の先端エッジがラインＣＣＤスキャナ１２の画像読取位置に到達した後、コマ間の距離の半分に相当する距離だけ搬送されるまで写真フィルム２２を副走査速度Ｖｆでファインスキャンする。このとき、写真フィルム２２に記録されたフルサイズ画像のみに対して、予め定められた主走査速度でかつ一定の副走査速度Ｖｆでファインスキャンが行われる。なお、搬送時間は（Ｎｆ１＋Ｎｆ２＋Ｎｐ）×Ｌ／Ｖｆである。フルサイズ画像に対するファインスキャンが終了した後、写真フィルム２２を減速度Ｖｆ／ＣｆでＣｆ時間搬送して一旦停止させる。
【００４９】
次に、写真フィルム２２を所定方向（矢印Ｂ方向）と反対方向（プレスキャンの搬送方向と同方向）に加速度Ｖｆ／ＣｆでＣｆ時間搬送した後、搬送速度Ｖｆで搬送する。このときの搬送時間は、（Ｎｆ２−１）×Ｌ／Ｖｆである。続いて、減速度Ｖｆ／ＣｆでＣｆ時間搬送して写真フィルム２２を停止させた後、再度加速度Ｖｐ／ＣｐでＣｐ時間搬送する。写真フィルム２２をＣｐ時間搬送することにより、搬送速度がＶｐに到達する。搬送速度Ｖｐで写真フィルム２２を搬送してラインＣＣＤ５０で読み取ることにより、パノラマ画像が予め定められた主走査速度でかつ一定の副走査速度Ｖｐでファインスキャンが行われる。パノラマ画像の搬送に要する時間は、Ｎｐ×Ｌ／Ｖｐである。こうしてパノラマ画像に対するファインスキャンが行われた後、減速度Ｖｐ／ＣｐでＣｐ時間搬送して写真フィルム２２の搬送を停止させる。
【００５０】
続いて、再度加速度Ｖｆ／ＣｆでＣｆ時間搬送し、写真フィルム２２の最後端に記録されたフルサイズ画像の後端側エッジがラインＣＣＤスキャナ１２の画像読取位置に到達した後、コマ間の距離の半分に相当する距離だけ搬送されるまで写真フィルム２２を搬送速度Ｖｆで搬送する。このときの搬送時間は、（Ｎｆ１−１）×Ｌ／Ｖｆである。さらに、減速度Ｖｆ／ＣｆでＣｆ時間搬送して写真フィルム２２の搬送を停止させた後、写真フィルム２２を画像読取装置２４から排出してファインスキャンを終了する。
【００５１】
次のステップ３０４では、写真フィルム２２に記録された全てのフィルム画像に対するファインスキャンが終了したか否かを判定する。このステップ３０４において全フィルム画像に対するファインスキャンが終了していないと判定された場合には、ステップ３０２に移行して写真フィルム２２の搬送及びフィルム画像のファインスキャンを続行し、全フィルム画像に対する読取処理が終了したと判定された場合には、本フローチャートにおける処理を終了する。
【００５２】
以上のように、プレスキャン画像データに基づく副走査パターンを設定してフィルム画像の読み取りを行うので、写真フィルム２２に記録されたフィルム画像を効率良く正確に読み取ることができる。
【００５３】
なお、本実施の形態では、副走査パターンＡによる副走査時間Ｈｐ１及び副走査パターンＢによる副走査時間Ｈｐ２を予め定められた式に基づいて演算し、副走査時間（目標副走査時間）が最短になる副走査パターンをファインスキャンにおけるフィルム画像読み取りの副走査パターンとして設定する方法について説明したが、これに限定されるものではない。例えば、写真フィルム２２に記録された同一サイズ画像のコマ数及びコマ位置毎に最短副走査時間となる副走査パターンを予め定め、プレスキャンによって得られたプレスキャン画像データから求められるコマ数及びコマ位置に基づいて予め定められた副走査パターンの中から該当する副走査パターンをファインスキャンにおける画像フィルム画像読み取りの副走査パターンを設定するようにしてもよい。また、副走査パターンを設定するときの目標副走査時間は全フィルム画像を読み取るために要する時間が最短になる副走査時間に限るものではなく、副走査速度の切り替え回数が最小になる副走査時間として設定してもよい。
【００５４】
また、写真フィルム２２をこの写真フィルム２２の長さ方向に搬送させることによってフィルム画像読み取りの副走査が行われる例について説明したが、ラインＣＣＤ５０をフィルム画像読み取りの副走査方向に移動させることによってフィルム画像を読み取るようにしてもよい。
【００５５】
なお、写真フィルム２２に記録されたフィルム画像を読み取る際、副走査パターンの副走査速度が遅い箇所（パノラマ画像の読み取り）では、フルサイズ画像の蓄積時間と同じ蓄積時間であるとラインＣＣＤ５０が飽和することがあるので、シャッタースピード等を変えることによってラインＣＣＤ５０の電荷蓄積時間が短くなるように調整してもよい。
【００５６】
さらに、本実施の形態においては、ファインスキャン終了時に写真フィルム２２の搬送を停止させた後に写真フィルム２２を画像読取装置２４から排出する例について説明したが、写真フィルム２２の搬送を停止させずに画像読取装置２４から排出するようにしてもよい。
【００５７】
また、本実施の形態では、写真フィルム２２に記録されたパノラマ画像のコマ数及び位置に基づいて副走査パターンを設定したが、これに限定されるものではない。例えば、写真フィルム２２に記録されたフィルム画像の濃度によって副走査パターンを設定するようにしてもよい。すなわち、フィルム画像の濃度が濃い場合には、副走査速度が遅くなるように副走査パターンを設定してもよい。
【００５８】
【発明の効果】
以上説明したように本発明によれば、プレスキャン画像データに基づいてファインスキャンにおける画像読み取りの副走査パターンを設定して読み取るので、写真フィルムに記録されたフィルム画像を効率良く正確に読み取ることができる、という優れた効果を有する。
【図面の簡単な説明】
【図１】本実施の形態に係るディジタルラボシステムを示す概略ブロック図である。
【図２】ディジタルラボシステムの外観図である。
【図３】本実施の形態に係る画像読取装置を示す概略構成図である。
【図４】ラインＣＣＤスキャナの光学系を示す概略構成図である。
【図５】プレスキャンの読取処理ルーチンを示すフローチャートである。
【図６】ファインスキャンにおけるフィルム画像読み取りの副走査パターンを設定するサブルーチンを示すフローチャートである。
【図７】ファインスキャンの読取処理ルーチンを示すフローチャートである。
【図８】プレスキャンにおける副走査パターンＡを示す概略図である。
【図９】プレスキャンにおける副走査パターンＢを示す概略図である。
【符号の説明】
１０    ディジタルラボシステム
２４    画像読取装置
３２    制御回路
３４    搬送ローラ対
５０    ラインＣＣＤ
６０    搬送ローラ対
【図１】
0003621564.tif 000004
【図２】
0003621564.tif 000005
【図３】
0003621564.tif 000006
【図４】
0003621564.tif 000007
【図５】
0003621564.tif 000008
【図６】
0003621564.tif 000009
【図７】
0003621564.tif 000010
【図８】
0003621564.tif 000011
【図９】
0003621564.tif 000012